(57)【特許請求の範囲】
【請求項１】
第１面と前記第１面とは反対側の面である第２面とを備える透明誘電体基体と、
前記第１面に位置する複数の電極線から構成される第１電極であって、前記第１面と平行な方向に沿って間隔を空けて並ぶ複数の前記第１電極と、
前記第２面に位置する複数の電極線から構成される第２電極であって、前記第２面と平行な方向に沿って間隔を空けて並ぶ複数の前記第２電極と、を備え、
前記第１面に位置する複数の前記電極線、および、前記第２面に位置する複数の前記電極線の少なくとも１つである電極線群は、
前記電極線群を構成する複数の前記電極線の各々が主線部と異形部とを備え、
前記主線部が、前記主線部を含む前記電極線の骨格となる形状を有し、
前記異形部が、前記主線部とは異なる形状を有し、
複数の前記異形部は、前記第２面と対向する平面視において二次元に分散し、かつ、前記第２面を構成する１つの方向である第１方向、および、前記第１方向と直交する第２方向の少なくとも１つに沿って不規則に並んでおり、
前記平面視において、前記第１面に位置する複数の前記電極線と、前記第２面に位置する複数の前記電極線とが、四角形形状を有する単位格子の繰り返しである格子パターンを形成し、複数の前記単位格子は、前記第１方向、および、前記第２方向に沿って並んでおり、
複数の前記異形部の少なくとも一部が、前記第１方向に沿って不規則に並び、かつ、前記第２方向に沿って所定の周期で並んでいる
タッチセンサ用電極。
【請求項２】
前記第２方向に沿って並ぶ複数の前記異形部が１つの異形部群を構成し、
複数の前記異形部は、前記第１方向に沿って並ぶ複数の前記異形部群を含み、
複数の前記異形部群の各々に含まれる複数の前記異形部は、前記第２方向に沿って所定の周期で並び、
前記平面視において、複数の前記異形部群は、
前記異形部群に含まれる複数の前記異形部が第１周期で前記第２方向に沿って並ぶ第１異形部群と、
前記異形部群に含まれる複数の前記異形部が前記第１周期とは相互に異なる第２周期で前記第２方向に沿って並ぶ第２異形部群とを含む
請求項１に記載のタッチセンサ用電極。
【請求項３】
前記第１異形部群と前記第２異形部群とは、
前記第１方向に沿って交互に繰り返され、
前記第１方向において相互に隣り合う２つの前記異形部群において、前記第１異形部群を構成する複数の前記異形部と、前記第２異形部群を構成する複数の前記異形部とは、前記格子パターンを構成する線分のうち、前記第２方向に沿って延びる１つの線分を前記第１方向において挟んでいる
請求項２に記載のタッチセンサ用電極。
【請求項４】
複数の前記単位格子の各々は、
前記第１方向に沿って並ぶ第１線分と第２線分とを備え、
複数の前記異形部は、
前記第１線分に位置する前記異形部と、
前記第２線分に位置する前記異形部と、を含む
請求項１から３のいずれか一項に記載のタッチセンサ用電極。
【請求項５】
複数の前記異形部は、第１の形状を有する第１異形部と、前記第１の形状とは異なる第２の形状を有する第２異形部とを含む
請求項１から４のいずれか一項に記載のタッチセンサ用電極。
【請求項６】
前記第１方向が、前記第１電極の延びる方向と交差する方向であり、
前記第２方向が、前記第２電極の延びる方向と交差する方向である
請求項１から５のいずれか一項に記載のタッチセンサ用電極。
【請求項７】
前記第１面に位置する複数の前記電極線の各々は、前記第１方向に沿って延び、かつ、複数の屈曲点を有する折線形状を有し、
前記第２面に位置する複数の前記電極線の各々は、前記第２方向に沿って延び、かつ、複数の屈曲点を有する折線形状を有している
請求項１から６のいずれか一項に記載のタッチセンサ用電極。
【請求項８】
請求項１から７のいずれか一項に記載のタッチセンサ用電極と、
前記タッチセンサ用電極を覆うカバー層と、
前記第１電極と前記第２電極との間の静電容量を測定する周辺回路と、を備える
タッチパネル。
【請求項９】
情報を表示する表示パネルと、
請求項８に記載のタッチパネルと、
前記タッチパネルを駆動する駆動回路と、を備える
表示装置。
【発明の詳細な説明】
【技術分野】
【０００１】
本発明は、第１方向に沿って並ぶ複数の第１電極と、第２方向に沿って並び、第１電極と立体的に交差する複数の第２電極とを備えるタッチセンサ用電極、タッチパネル、および、表示装置に関する。
【背景技術】
【０００２】
タッチパネルは、タッチパネルに対する指などの位置を検出するための構成として、タッチセンサ用電極を備えている。タッチセンサ用電極は、第１方向に沿って並ぶ複数の第１電極と、第１方向と交差する第２方向に沿って並ぶ複数の第２電極と、複数の第１電極と複数の第２電極との間に位置する透明誘電体基板とを備えている。ドライブ電極とセンシング電極とは、例えば、相互に間隔を空けて並べられた多数の直線形状を有する電極線の集合によって構成されている。複数の第１電極と複数の第２電極とは、透明誘電体基板と対向する平面視において立体的に交差している。タッチパネルでは、第１電極と第２電極との交差部における静電容量が測定され、測定された静電容量の変化に基づき、タッチパネルに対する指の位置が特定される（例えば、特許文献１参照）。
【先行技術文献】
【特許文献】
【０００３】
【特許文献１】特開２０１０−３９５３７号公報
【発明の概要】
【発明が解決しようとする課題】
【０００４】
ところで、タッチパネルを備える表示装置は、タッチパネルと重なる表示パネルを備え、表示パネルは、複数の画素を区画するための格子形状を有したブラックマトリクスを備えている。そのため、表示装置では、タッチセンサ用電極において第１電極と第２電極とが形成する周期的なパターンと、ブラックマトリクスの有する格子形状の周期との相関によって、モアレが生じることがある。表示装置に生じたモアレは、表示パネルの表示する文字や画像などの情報を視認されにくくするため、表示装置におけるモアレを抑えることが求められている。
本発明は、モアレを抑えることのできるタッチセンサ用電極、タッチパネル、および、表示装置を提供することを目的とする。
【課題を解決するための手段】
【０００５】
上記課題を解決するためのタッチセンサ用電極は、第１面と前記第１面とは反対側の面である第２面とを備える透明誘電体基体と、前記第１面に位置する複数の電極線から構成される第１電極であって、前記第１面と平行な方向に沿って間隔を空けて並ぶ複数の前記第１電極と、前記第２面に位置する複数の電極線から構成される第２電極であって、前記第２面と平行な方向に沿って間隔を空けて並ぶ複数の前記第２電極と、を備える。前記第１面に位置する複数の前記電極線、および、前記第２面に位置する複数の前記電極線の少なくとも１つである電極線群は、前記電極線群を構成する複数の前記電極線の各々が主線部と異形部とを備え、前記主線部が、前記主線部を含む前記電極線の骨格となる形状を有し、前記異形部が、前記主線部とは異なる形状を有している。複数の前記異形部は、前記第２面と対向する平面視において二次元に分散し、かつ、前記第２面を構成する１つの方向である第１方向、および、前記第１方向と直交する第２方向の少なくとも１つに沿って不規則に並んでいる。
【０００６】
上記課題を解決するためのタッチパネルは、複数の第１電極と、複数の第２電極と、複数の前記第１電極と複数の前記第２電極との間に位置する透明誘電体基板と、を備えるタッチセンサ用電極と、前記タッチセンサ用電極を覆うカバー層と、前記第１電極線と前記第２電極線との間の静電容量を測定する周辺回路と、を備える。前記タッチセンサ用電極は、上記タッチセンサ用電極である。
【０００７】
上記課題を解決するための表示装置は、情報を表示する表示パネルと、前記表示パネルの表示する前記情報を透過するタッチパネルと、前記タッチパネルを駆動する駆動回路と、を備える。前記タッチパネルは、上記タッチパネルである。
【０００８】
上記態様によれば、タッチセンサ用電極が、二次元に分散された複数の異形部を有し、かつ、複数の異形部が、少なくとも１つの方向に沿って不規則に並んでいる。そのため、第１面と対向する平面視においては、タッチセンサ用電極の備える複数の第１電極と複数の第２電極とで形成される構造の周期性が、少なくとも１つの方向に沿って乱される。それゆえに、タッチセンサ用電極が表示パネルに重ねられたとき、タッチセンサ用電極の周期性と表示パネルにおける画素の周期性との相関によるモアレが抑えられる。
【０００９】
上記タッチセンサ用電極の他の態様は、前記平面視において、前記第１面に位置する複数の前記電極線と、前記第２面に位置する複数の前記電極線とが、四角形形状を有する単位格子の繰り返しである格子パターンを形成し、複数の前記単位格子は、前記第１方向、および、前記第２方向に沿って並んでいることが好ましい。
上記タッチセンサ用電極の他の態様によれば、複数の単位格子によって形成される周期的な構造が、異形部によって乱されることで、モアレが抑えられる。
【００１０】
上記タッチセンサ用電極の他の態様において、複数の前記異形部の少なくとも一部が、前記第１方向に沿って不規則に並び、かつ、前記第２方向に沿って所定の周期で並んでいてもよい。
【００１１】
上記タッチセンサ用電極の他の態様によれば、第１方向に沿って並ぶ単位格子の周期に起因したモアレが抑えられる。一方で、第２方向においては異形部が所定の周期で並ぶため、異形部の設計に要する負荷を抑えることができる。
【００１２】
上記タッチセンサ用電極の他の態様において、前記第２方向に沿って並ぶ複数の前記異形部が１つの異形部群を構成し、複数の前記異形部は、前記第１方向に沿って並ぶ複数の前記異形部群を含み、複数の前記異形部群の各々に含まれる複数の前記異形部は、前記第２方向に沿って所定の周期で並んでいる。前記平面視において、複数の前記異形部群は、前記異形部群に含まれる複数の前記異形部が第１周期で前記第２方向に沿って並ぶ第１異形部群と、前記異形部群に含まれる複数の前記異形部が前記第１周期とは相互に異なる第２周期で前記第２方向に沿って並ぶ第２異形部群とを含んでいてもよい。
【００１３】
上記タッチセンサ用電極の他の態様によれば、複数の異形部群には、第２方向における周期が相互に異なる第１異形部群と第２異形部群とが含まれるため、第１異形部群のみが含まれる構成よりも、第１方向における異形部の不規則性を高めることができる。それゆえに、モアレがより抑えられる。
【００１４】
上記タッチセンサ用電極の他の態様において、前記第１異形部群と前記第２異形部群とは、前記第１方向に沿って交互に繰り返され、前記第１方向において相互に隣り合う２つの前記異形部群において、前記第１異形部群を構成する複数の前記異形部と、前記第２異形部群を構成する複数の前記異形部とは、前記格子パターンを構成する線分のうち、前記第２方向に沿って延びる１つの線分を前記第１方向において挟んでいてもよい。
【００１５】
上記タッチセンサ用電極の他の態様によれば、異形部の並びの周期が相互に異なる２つの異形部群が、第２方向に沿って延びる１つの線分を挟む。そのため、異形部の並びの周期が相互に異なる２つの異形部群の間において、格子パターンの周期性が視覚的に乱されやすい。
【００１６】
上記タッチセンサ用電極の他の態様において、複数の前記単位格子の各々は、前記第１方向に沿って並ぶ第１線分と第２線分とを備え、複数の前記異形部は、前記第１線分に位置する前記異形部と、前記第２線分に位置する前記異形部と、を含んでもよい。
【００１７】
上記タッチセンサ用電極の他の態様によれば、１つの単位格子に対して、第１方向における異形部の位置が２つ存在するため、１つの単位格子に対して異形部の位置が１つである構成と比べて、第１方向において、複数の異形部における不規則性が高まる。それゆえに、モアレがより抑えられる。
【００１８】
上記タッチセンサ用電極の他の態様において、複数の前記異形部は、第１の形状を有する第１異形部と、前記第１の形状とは異なる第２の形状を有する第２異形部とを含んでもよい。
上記タッチセンサ用電極の他の態様によれば、異形部の形状が１種類である構成と比べて、複数の異形部による不規則性がより高まる。
【００１９】
上記タッチセンサ用電極の他の態様において、前記第１方向が、前記第１電極の延びる方向と交差する方向であり、前記第２方向が、前記第２電極の延びる方向と交差する方向であることが好ましい。
【００２０】
上記タッチセンサ用電極の他の態様によれば、第１電極と第２電極とが延びる方向に対して、格子パターンを構成する単位格子が所定の傾きを有した状態で並ぶ。そのため、第１電極の延びる方向が、第１方向と平行であり、かつ、第２電極の延びる方向が、第２方向と平行である構成と比べて、電極の構造における周期性と、格子パターンの構造における周期性との相関によるモアレが形成されにくくなる。
【００２１】
上記タッチセンサ用電極の他の態様において、前記第１面に位置する複数の前記電極線の各々は、前記第１方向に沿って延び、かつ、複数の屈曲点を有する折線形状を有し、前記第２面に位置する複数の前記電極線の各々は、前記第２方向に沿って延び、かつ、複数の屈曲点を有する折線形状を有していてもよい。
【００２２】
上記タッチセンサ用電極の他の態様によれば、格子パターンが、複数の屈曲点を有した折線形状を有する電極線で形成されているため、直線形状を有する電極線で形成された格子パターンと比べて、格子パターンにおける周期性が乱れやすい。それゆえに、格子パターンの構造における周期性に基づくモアレが形成されにくくなる。
【発明の効果】
【００２３】
本発明によれば、モアレを抑えることができる。
【図面の簡単な説明】
【００２４】
【図１】本発明を具体化した第１実施形態における表示装置の構造をタッチパネルの備えるタッチセンサ用電極の断面構造とともに模式的に示すブロック図である。
【図２】第１実施形態におけるタッチセンサ用電極の平面構造を示す平面図である。
【図３】変形例におけるタッチセンサ用電極の平面構造を示す平面図である。
【図４】変形例におけるタッチセンサ用電極の平面構造を示す平面図である。
【図５】本発明を具体化した第２実施形態における表示装置の平面構造を示す平面図であって、相互に異なる構成要素の一部が重なる順に切り欠いて示される図である。
【図６】第２実施形態における表示装置の断面構造を示す断面図である。
【図７】第２実施形態におけるタッチパネルの電気的構成を説明するためのブロック図である。
【図８】第２実施形態における格子パターンの平面構造の一部を拡大して示す部分拡大平面図である。
【図９】第２実施形態におけるタッチセンサ用電極の設計方法を説明するための説明図である。
【図１０】変形例における格子パターンの平面構造の一部を拡大して示す部分拡大平面図である。
【図１１】変形例における格子パターンの平面構造の一部を拡大して示す部分拡大平面図である。
【図１２】変形例における幅広部の平面構造を拡大して示す拡大平面図である。
【図１３】変形例における異形部の平面構造を拡大して示す拡大平面図である。
【図１４】変形例における異形部の平面構造を拡大して示す拡大平面図である。
【図１５】変形例における異形部の平面構造を拡大して示す拡大平面図である。
【図１６】変形例における格子パターンの平面構造の一部を示す部分平面図である。
【図１７】変形例における格子パターンの平面構造の一部を示す部分平面図である。
【図１８】変形例における格子パターンの平面構造の一部を示す部分平面図である。
【図１９】変形例における格子パターンの平面構造の一部を示す部分平面図である。
【図２０】変形例における格子パターンの平面構造の一部を示す部分平面図である。
【図２１】変形例における格子パターンの平面構造の一部を示す部分平面図である。
【図２２】変形例における表示装置の断面構造を示す断面図である。
【図２３】変形例における表示装置の断面構造を示す断面図である。
【発明を実施するための形態】
【００２５】
［第１実施形態］
図１および図２を参照して、第１実施形態におけるタッチセンサ用電極、タッチパネル、および、表示装置を説明する。なお、図１においては、タッチセンサ用電極の構成を説明する便宜上から、表示装置の模式的な構造が、タッチセンサ用電極の断面構造とともに示されている。また、図２においては、タッチセンサ用電極における異形部の位置を説明する便宜上から、タッチセンサ用電極の備える複数の電極の一部が破線で示されている。
【００２６】
図１が示すように、表示装置は、表示パネル１０とタッチパネル２０とを備え、表示パネル１０の上にタッチパネル２０が重なっている。表示パネル１０は、例えば、液晶表示パネルや有機ＥＬ表示パネルなどであり、文字や画像を含む所定の情報を表示する。表示パネル１０は、所定の方向に沿って規則的に並ぶ複数の画素を備え、画素を用いて情報を表示する。
【００２７】
タッチパネル２０は、タッチパネル２０において、例えば表示装置の使用者の指と触れた位置を検出するためのタッチセンサ用電極２１を備えている。タッチセンサ用電極２１は、透明誘電体基板３０、複数のドライブ電極３１ＤＰ、および、複数のセンシング電極３３ＳＰを備えている。
【００２８】
透明誘電体基板３０は、ドライブ電極面３１Ｓと、ドライブ電極面３１Ｓとは反対側の面であるセンシング電極面３３Ｓとを備えている。透明誘電体基板３０は、例えば、透明な樹脂製基板やガラス基板で構成され、１枚の基板から構成される単層構造でもよいし、複数の基板から構成される多層構造でもよい。透明誘電体基板３０は、透明誘電体基体の一例である。ドライブ電極面３１Ｓは第１面の一例であり、センシング電極面３３Ｓは第２面の一例である。
【００２９】
ドライブ電極３１ＤＰは、複数の電極線から構成され、複数のドライブ電極３１ＤＰは、ドライブ電極面３１Ｓと平行な方向に沿って間隔を空けて並んでいる。複数のドライブ電極３１ＤＰは、ドライブ電極面３１Ｓに位置し、１つの方向に沿って延びる帯形状を有している。ドライブ電極３１ＤＰは、第１電極の一例である。
【００３０】
センシング電極３３ＳＰは、ドライブ電極３１ＤＰと同じく、複数の電極線から構成され、複数のセンシング電極３３ＳＰは、センシング電極面３３Ｓと平行な方向に沿って間隔を空けて並んでいる。複数のセンシング電極３３ＳＰは、センシング電極面３３Ｓに位置し、１つの方向であって、ドライブ電極３１ＤＰの延びる方向と直交する方向に沿って延びる帯形状を有している。センシング電極３３ＳＰは、第２電極の一例である。
【００３１】
図２が示すように、センシング電極面３３Ｓと対向する平面視において、各ドライブ電極３１ＤＰは、複数のセンシング電極３３ＳＰの各々と立体的に交差している。タッチセンサ用電極２１では、１つのドライブ電極３１ＤＰと１つのセンシング電極３３ＳＰとの間の静電容量が、指などの位置の検出に用いられる。
【００３２】
ドライブ電極３１ＤＰは、複数のドライブ電極線３１Ｌを備え、複数のドライブ電極線３１Ｌの各々は、例えば、センシング電極面３３Ｓを構成する１つの方向である第１方向Ｄ１に沿って延びる直線形状を有し、複数のドライブ電極線３１Ｌは、第１方向Ｄ１と直交する第２方向Ｄ２に沿って並んでいる。１つのドライブ電極３１ＤＰにおける複数のドライブ電極線３１Ｌは、第１方向Ｄ１における一方の端部において、１つのドライブパッド３１Ｐに接続している。
【００３３】
複数のドライブ電極線３１Ｌの一部は、ドライブ主線部３１ＭＰと異形部２１Ａとを備えている。このうち、ドライブ主線部３１ＭＰは、ドライブ主線部３１ＭＰを含むドライブ電極線３１Ｌの骨格となる形状を有する一方で、異形部２１Ａは、ドライブ主線部３１ＭＰとは異なる形状を有している。
【００３４】
ドライブ主線部３１ＭＰは、例えば、直線形状を有している。これに対して、異形部２１Ａは、異形部２１Ａの含まれるドライブ電極線３１Ｌにおいて、ドライブ主線部３１ＭＰよりも線幅の大きい部分でもよいし、ドライブ主線部３１ＭＰよりも線幅の小さい部分でもよい。あるいは、異形部２１Ａは、ドライブ主線部３１ＭＰから線幅の方向において屈曲した部分であってもよい。
【００３５】
センシング電極３３ＳＰは、複数のセンシング電極線３３Ｌを備え、複数のセンシング電極線３３Ｌの各々は、例えば、第２方向Ｄ２に沿って延びる直線形状を有し、複数のセンシング電極線３３Ｌは、第１方向Ｄ１に沿って並んでいる。１つのセンシング電極３３ＳＰにおける複数のセンシング電極線３３Ｌは、第２方向Ｄ２における一方の端部において、１つのセンシングパッド３３Ｐに接続している。
【００３６】
複数のセンシング電極線３３Ｌの一部は、センシング主線部３３ＭＰと異形部２１Ａとを備えている。このうち、センシング主線部３３ＭＰは、センシング主線部３３ＭＰを含むセンシング電極線３３Ｌの骨格となる形状を有する一方で、異形部２１Ａは、センシング主線部３３ＭＰとは異なる形状を有している。
【００３７】
ドライブ電極面３１Ｓに位置する複数のドライブ電極線３１Ｌのうち、異形部２１Ａを備える複数のドライブ電極線３１Ｌと、センシング電極面３３Ｓに位置する複数のセンシング電極線３３Ｌのうち、異形部２１Ａを備える複数のセンシング電極線３３Ｌとが電極線群を構成している。
【００３８】
センシング主線部３３ＭＰは、例えば、直線形状を有している。これに対して、異形部２１Ａは、ドライブ電極線３１Ｌの備える異形部２１Ａと同様、異形部２１Ａの含まれるセンシング電極線３３Ｌにおいて、センシング主線部３３ＭＰよりも線幅の大きい部分でもよいし、センシング主線部３３ＭＰよりも線幅の小さい部分でもよい。あるいは、異形部２１Ａは、センシング主線部３３ＭＰから線幅の方向において屈曲した部分であってもよい。
【００３９】
なお、タッチセンサ用電極２１の備える複数の異形部２１Ａにおいて、一部の異形部２１Ａがドライブ電極線３１Ｌに含まれ、かつ、残りの異形部２１Ａがセンシング電極線３３Ｌに含まれる構成でなくともよい。例えば、複数の異形部２１Ａの全てが、ドライブ電極線３１Ｌに含まれてもよいし、センシング電極線３３Ｌに含まれてもよい。
【００４０】
また、各異形部２１Ａは、センシング電極面３３Ｓと対向する平面視において、１つのドライブ電極３１ＤＰと１つのセンシング電極３３ＳＰとが立体的に重なる領域に位置してもよい。あるいは、各異形部２１Ａは、センシング電極面３３Ｓと対向する平面視において、ドライブ電極３１ＤＰのみが位置する領域に位置してもよいし、センシング電極３３ＳＰのみが位置する領域に位置してもよい。
【００４１】
センシング電極面３３Ｓと対向する平面視において、複数の異形部２１Ａは二次元に分散し、第１方向Ｄ１に沿って不規則に並び、かつ、第２方向Ｄ２に沿って不規則に並んでいる。つまり、複数の異形部２１Ａにおいて、第１方向Ｄ１での異形部２１Ａ間の距離が第１距離ＤＡ１であり、第１距離ＤＡ１は、第１方向Ｄ１に沿って不規則に変わっている。また、複数の異形部２１Ａにおいて、第２方向Ｄ２での異形部２１Ａ間の距離が第２距離ＤＡ２であり、第２距離ＤＡ２は、第２方向Ｄ２に沿って不規則に変わっている。
【００４２】
そのため、センシング電極面３３Ｓと対向する平面視においては、タッチセンサ用電極２１の備える複数のドライブ電極３１ＤＰと複数のセンシング電極３３ＳＰとで形成される構造の周期性が、第１方向Ｄ１と第２方向Ｄ２との両方に沿って乱される。それゆえに、タッチセンサ用電極２１が表示パネル１０に重ねられたとき、タッチセンサ用電極２１の周期性と表示パネル１０における画素の周期性との相関によるモアレが抑えられる。
【００４３】
以上説明したように、第１実施形態によれば、以下に列挙する効果を得ることができる。
（１）タッチセンサ用電極２１が、二次元に分散された複数の異形部２１Ａを有し、かつ、複数の異形部２１Ａが、第１方向Ｄ１および第２方向Ｄ２に沿って不規則に並んでいる。そのため、センシング電極面３３Ｓと対向する平面視においては、タッチセンサ用電極２１の備える複数のドライブ電極３１ＤＰと複数のセンシング電極３３ＳＰとで形成される構造の周期性が、２つの方向に沿って乱される。それゆえに、タッチセンサ用電極２１が表示パネル１０に重ねられたとき、タッチセンサ用電極２１における構造の周期性と表示パネル１０における画素の周期性との相関によるモアレが抑えられる。
【００４４】
［第１実施形態の変形例］
なお、第１実施形態は、以下のように適宜変更して実施することもできる。
・複数の異形部２１Ａは、第１方向Ｄ１と第２方向Ｄ２との両方に沿って不規則に並んでいなくてもよく、図３が示すように、複数の異形部２１Ａは、第１方向Ｄ１に沿って不規則に並んでいる一方で、第２方向Ｄ２に沿って規則的に並んでいてもよい。すなわち、上述した第１距離ＤＡ１は、第１方向Ｄ１に沿って不規則に変わる一方で、第２距離ＤＡ２は、第２方向Ｄ２に沿って一定であってもよい。こうした構成であっても、複数の異形部２１Ａが、第１方向Ｄ１に沿って不規則に並んでいるため、第１方向Ｄ１においては、上述した（１）に準じた効果を得ることはできる。
【００４５】
・複数の異形部２１Ａは、第１方向Ｄ１と第２方向Ｄ２との両方に沿って不規則に並んでいなくてもよく、複数の異形部２１Ａは、第１方向Ｄ１に沿って規則的に並んでいる一方で、第２方向Ｄ２に沿って規則的に並んでいてもよい。すなわち、第１距離ＤＡ１は、第１方向Ｄ１に沿って一定である一方で、第２距離ＤＡ２は、第２方向Ｄ２に沿って不規則に変わってもよい。こうした構成であっても、複数の異形部２１Ａが、第２方向Ｄ２に沿って不規則に並んでいるため、第２方向Ｄ２においては、上述した（１）に準じた効果を得ることはできる。
【００４６】
・複数の異形部２１Ａが並ぶ第１方向Ｄ１と、ドライブ電極線３１Ｌの延びる方向とは、相互に平行でなくてもよく、第１方向Ｄ１と直交する第２方向Ｄ２と、センシング電極線３３Ｌの延びる方向とは、相互に平行でなくてもよい。すなわち、図４が示すように、センシング電極面３３Ｓを構成する１つの方向である第１方向Ｄ１であって、複数の異形部２１Ａの並ぶ第１方向Ｄ１は、ドライブ電極線３１Ｌと所定の角度で交差する方向であってもよい。そして、第１方向Ｄ１と直交する第２方向Ｄ２が、センシング電極線３３Ｌと所定の角度で交差する方向であってもよい。
【００４７】
なお、こうした構成では、ドライブ電極３１ＤＰの延びる方向と第１方向Ｄ１とが所定の角度で交差し、かつ、センシング電極３３ＳＰの延びる方向と第２方向Ｄ２とが所定の角度で交差してもいる。こうした構成であっても、複数の異形部２１Ａが、センシング電極面３３Ｓを構成する１つの方向である第１方向Ｄ１と、第１方向Ｄ１と直交する第２方向とに沿って不規則に並ぶ以上は、上述した（１）に準じた効果を得ることはできる。
【００４８】
・第１方向Ｄ１とドライブ電極線３１Ｌの延びる方向とが交差し、かつ、第２方向Ｄ２とセンシング電極線３３Ｌの延びる方向とが交差する構成では、複数の異形部２１Ａは、第１方向Ｄ１に沿って不規則に並ぶ一方で、第２方向Ｄ２に沿って規則的に並ぶ構成でもよい。あるいは、複数の異形部２１Ａは、第２方向Ｄ２に沿って不規則に並ぶ一方で、第１方向Ｄ１に沿って規則的に並ぶ構成でもよい。こうした構成であっても、複数の異形部２１Ａが不規則に並ぶ方向においては、上述した（１）に準じた効果を得ることはできる。
【００４９】
・ドライブ電極３１ＤＰの備えるドライブ電極線３１Ｌは、直線形状に限らず、ドライブ電極線３１Ｌの延びる方向において、１つ以上の屈曲点を有した折線形状や、１つ以上の屈曲点を有した曲線形状を有していてもよい。こうした構成では、センシング電極線３３Ｌは、上述したような直線形状を有してもよいし、ドライブ電極線３１Ｌと同様の折線形状や曲線形状を有してもよい。あるいは、センシング電極線３３Ｌが、上述した折線形状や曲線形状を有する一方で、ドライブ電極線３１Ｌが直線形状を有してもよい。
【００５０】
・タッチセンサ用電極２１の備える複数の異形部２１Ａの全てが、ドライブ電極面３１Ｓのみに位置する構成や、センシング電極面３３Ｓのみに位置する構成であってもよい。このうち、ドライブ電極面３１Ｓのみに複数の異形部２１Ａの全てが位置する構成では、複数の異形部２１Ａの全てが、ドライブ電極線３１Ｌ上に位置するのみであってもよいし、複数の異形部２１Ａに加えて、２本のドライブ電極線３１Ｌの間に位置する少なくとも１つのダミー部を有してもよい。こうした構成によっても、複数の異形部２１Ａは、第１方向Ｄ１、および、第２方向Ｄ２の少なくとも一方において、不規則に並ぶことが可能である。
【００５１】
ここで、表示パネル１０の備える画素の形状、および、大きさには複数の種類があるため、画素を区画するためのブラックマトリクスの形状にも複数の種類がある。そして、ブラックマトリクスごとに、上述したモアレを抑える上で好ましい異形部２１Ａの位置も異なる。この点で、タッチセンサ用電極２１がドライブ電極面３１Ｓのみに複数の異形部２１Ａを備える構成によれば、ブラックマトリクスの異なる表示パネル１０に対して、同じセンシング電極３３ＳＰを適用することが可能である。これにより、複数種類の表示パネル１０に対するタッチセンサ用電極２１の製造を行う際に、タッチセンサ用電極２１の製造にかかるコストを低くすることができる。
【００５２】
なお、センシング電極面３３Ｓのみに複数の異形部２１Ａの全てが位置する構成では、複数の異形部２１Ａの全てが、センシング電極線３３Ｌ上に位置するのみであってもよいし、複数の異形部２１Ａに加えて、２本のセンシング電極線３３Ｌの間に位置する少なくとも１つのダミー部を有してもよい。こうした構成によっても、ドライブ電極面３１Ｓのみに複数の異形部２１Ａの全てが位置する構成と同等の効果を得ることができる。
【００５３】
［第２実施形態］
図５から図９を参照して、第２実施形態におけるタッチセンサ用電極、タッチパネル、および、表示装置を説明する。第２実施形態では、第１実施形態と比べて、タッチパネル、および、表示装置のより詳しい構成が示されている。また、第２実施形態は、第１実施形態と比べて、各電極の有する電極線の構成が主に異なる。そのため、以下では、こうした相違点を特に説明しつつ、表示装置の構成、タッチパネルの電気的構成、ドライブ電極とセンシング電極とによって形成される格子パターンの構成、および、格子パターンの設計方法を説明する。
【００５４】
［表示装置の平面構造］
図５を参照して表示装置の構成を説明する。なお、図５においては、表示装置の備えるブラックマトリクス、ドライブ電極、および、センシング電極の構成を説明する便宜上から、ブラックマトリクス、ドライブ電極、および、センシング電極が誇張されている。また、ドライブ電極を構成するドライブ電極線と、センシング電極を構成するセンシング電極線とが模式的に示されている。
【００５５】
図５が示すように、表示装置は、例えば、液晶パネルである表示パネル１０と、タッチパネル２０とが、１つの透明接着層によって貼り合わされた積層体であり、タッチパネル２０を駆動するための駆動回路を備えている。
【００５６】
表示パネル１０の表面には、矩形形状に形成された表示面１０Ｓが区画され、表示面１０Ｓには、外部からの画像データに基づく画像などの情報が表示される。なお、表示パネル１０とタッチパネル２０との相対的な位置が筐体などの他の構成によって固定される前提であれば、透明接着層が割愛されてもよい。
【００５７】
表示パネル１０は、カラーフィルタ層１５を備え、カラーフィルタ層１５におけるブラックマトリクス１５ａは、１つの方向である第１電極方向ＤＥ１と、第１電極方向ＤＥ１と直交する方向である第２電極方向ＤＥ２とに沿って並ぶ矩形形状を有した複数の単位格子から構成される格子形状を有している。１つの画素１５Ｐは、第２電極方向ＤＥ２に沿って連続する３つの単位格子から構成され、複数の画素１５Ｐの各々は、第１電極方向ＤＥ１、および、第２電極方向ＤＥ２に沿って並んでいる。
【００５８】
複数の画素１５Ｐの各々は、赤色を表示するための赤色着色層１５Ｒ、緑色を表示するための緑色着色層１５Ｇ、および、青色を表示するための青色着色層１５Ｂから構成されている。カラーフィルタ層１５において、例えば、複数の赤色着色層１５Ｒ、複数の緑色着色層１５Ｇ、および、複数の青色着色層１５Ｂの各々は、第２電極方向ＤＥ２に沿って、赤色着色層１５Ｒ、緑色着色層１５Ｇ、青色着色層１５Ｂの順に繰り返されて並んでいる。
【００５９】
１つの赤色着色層１５Ｒ、１つの緑色着色層１５Ｇ、および、１つの青色着色層１５Ｂは、１つの画素１５Ｐを構成し、複数の画素１５Ｐは、第２電極方向ＤＥ２における赤色着色層１５Ｒ、緑色着色層１５Ｇ、および、青色着色層１５Ｂの並ぶ順番を維持した状態で、第２電極方向ＤＥ２に沿って並んでいる。
【００６０】
画素１５Ｐにおける第１電極方向ＤＥ１に沿った幅が第１画素幅ＷＰ１であり、画素１５Ｐにおける第２電極方向ＤＥ２に沿った幅が第２画素幅ＷＰ２であり、各着色層１５Ｒ，１５Ｇ，１５Ｂにおける第２電極方向ＤＥ２に沿った幅が第３画素幅ＷＰ３である。第１画素幅ＷＰ１、第２画素幅ＷＰ２、および、第３画素幅ＷＰ３の各々は、表示装置に求められる解像度などに応じた値に設定されている。
【００６１】
なお、表示パネル１０が有色の光を出力するＥＬパネルであって、赤色の光を出力する赤色画素、緑色の光を出力する緑色画素、および、青色の光を出力する青色画素を有する構成であれば、上述したカラーフィルタ層１５が割愛されてもよい。この際に、ＥＬパネルにおいて相互に隣り合う画素の境界部分は、ブラックマトリクスとして機能する。
【００６２】
タッチパネル２０は、静電容量式のタッチパネルであり、タッチセンサ用電極２１とカバー層２２とが透明接着層２３によって貼り合わされた積層体であって、表示パネル１０の表示する情報を透過する光透過性を有している。カバー層２２は、ガラス基板や樹脂フィルムなどによって形成され、カバー層２２における透明接着層２３とは反対側の面は、タッチパネル２０における表面であって操作面２０Ｓとして機能する。透明接着層２３は、表示面１０Ｓに表示される画像を透過する光透過性を有し、透明接着層２３には、例えば、ポリエーテル系接着剤やアクリル系接着剤が用いられる。
【００６３】
タッチセンサ用電極２１を構成する透明基板３１は、表示パネル１０に形成された表示面１０Ｓの全体に重ねられて、表示面１０Ｓが表示する画像などの情報を透過する光透過性を有している。透明基板３１は、例えば、透明ガラス基板や透明樹脂フィルムなどの基材から構成されて、１つの基材から構成される単層構造体であってもよいし、２つ以上の基材が重ねられた多層構造体であってもよい。
【００６４】
透明基板３１における表示パネル１０とは反対側の面は、ドライブ電極面３１Ｓとして設定されている。透明基板３１のドライブ電極面３１Ｓにおいて、複数のドライブ電極３１ＤＰの各々は、１つの方向である第１電極方向ＤＥ１に沿って延びる帯形状を有し、かつ、第１電極方向ＤＥ１と直交する第２電極方向ＤＥ２に沿って間隔を空けて並んでいる。
【００６５】
各ドライブ電極３１ＤＰは、複数のドライブ電極線の集合であり、複数のドライブ電極線は、第１電極方向ＤＥ１に対して交差する方向に沿って延びる複数のドライブ主線と、複数のドライブ主線を相互に接続するための複数のドライブ副線とを備えている。各ドライブ電極３１ＤＰの形成材料には、銅やアルミニウムなどの金属膜が用いられる。あるいは、各ドライブ電極３１ＤＰの形成材料には、酸化亜鉛などの金属酸化物膜、および、酸化インジウム錫や酸化インジウムガリウム亜鉛などのインジウム、スズ、ガリウム、および、亜鉛などの金属酸化物を含む複合酸化物膜が用いられる。また、各ドライブ電極３１ＤＰの形成材料には、銀ナノワイヤー、導電性高分子膜、および、グラフェン膜などの導電膜も用いられる。
【００６６】
複数のドライブ電極３１ＤＰの各々は、ドライブパッド３１Ｐを介して個別に選択回路に接続され、選択回路が出力する駆動信号を受けることによって選択回路に選択される。
【００６７】
複数のドライブ電極３１ＤＰ、および、ドライブ電極面３１Ｓにおいてドライブ電極３１ＤＰが位置しない部分は、１つの透明接着層３２によって透明誘電体基板３３に貼り合わされている。透明接着層３２は、表示面１０Ｓに表示される画像などの情報を透過する光透過性を有して、ドライブ電極面３１Ｓ、および、複数のドライブ電極３１ＤＰと、透明誘電体基板３３とを接着する。透明接着層３２には、例えば、ポリエーテル系接着剤やアクリル系接着剤などが用いられる。透明誘電体基板３３における透明基板３１と向かい合う面である裏面に、複数のドライブ電極３１ＤＰが並んでいる。透明誘電体基板３３の裏面が、第１面の一例である。
【００６８】
透明誘電体基板３３は、例えば、ポリエチレンテレフタラートなどの透明樹脂フィルムや透明ガラス基板などの基材から構成されて、１つの基材から構成される単層構造であってもよいし、２つ以上の基材が重ねられた多層構造であってもよい。透明誘電体基板３３は、表示面１０Ｓに表示される画像などの情報を透過する光透過性と、電極間における静電容量の検出に適した比誘電率とを有する。
【００６９】
透明誘電体基板３３における透明接着層３２とは反対側の面である表面は、センシング電極面３３Ｓとして設定されている。透明誘電体基板３３のセンシング電極面３３Ｓには、複数のセンシング電極３３ＳＰの各々が、第２電極方向ＤＥ２に沿って延びる帯形状を有し、かつ、第２電極方向ＤＥ２と直交する第１電極方向ＤＥ１に沿って隙間を空けて並んでいる。センシング電極面３３Ｓは、第２面の一例である。
【００７０】
各センシング電極３３ＳＰは、複数のセンシング電極線の集合であり、複数のセンシング電極線は、ドライブ主線と直交する方向に沿って延びる複数のセンシング主線と、複数のセンシング主線を相互に接続するための複数のセンシング副線とを備えている。各センシング電極３３ＳＰの形成材料には、銅やアルミニウムなどの金属膜が用いられる。あるいは、各センシング電極３３ＳＰの形成材料には、酸化亜鉛などの金属酸化物膜、および、酸化インジウム錫や酸化インジウムガリウム亜鉛などのインジウム、スズ、ガリウム、および、亜鉛などの金属酸化物を含む複合酸化物膜が用いられる。また、各センシング電極３３ＳＰの形成材料には、銀ナノワイヤー、導電性高分子膜、および、グラフェン膜などの導電膜も用いられる。
【００７１】
複数のセンシング電極３３ＳＰの各々は、センシングパッド３３Ｐを介して個別に検出回路に接続され、検出回路によって電流値を測定される。
【００７２】
センシング電極面３３Ｓと対向する平面視にて、複数のドライブ電極３１ＤＰの各々は、複数のセンシング電極３３ＳＰの各々と立体的に交差する。これにより、複数のドライブ電極３１ＤＰの各々の備える複数のドライブ電極線と、複数のセンシング電極３３ＳＰの各々の備える複数のセンシング電極線とは、センシング電極面３３Ｓと対向する平面視において、四角形形状を有する単位格子の連続する格子形状を有した格子パターンを形成している。
【００７３】
なお、上述したように、複数のドライブ電極線の各々の延びる方向は、第１電極方向ＤＥ１に対して傾きを有し、複数のセンシング電極線の各々の延びる方向は、第２電極方向ＤＥ２に対して傾きを有している。そのため、複数のドライブ電極線と複数のセンシング電極線とによって形成される単位格子は、第１電極方向ＤＥ１および第２電極方向ＤＥ２に対して傾いている。
【００７４】
複数のセンシング電極３３ＳＰ、および、センシング電極面３３Ｓにおいてセンシング電極３３ＳＰが位置しない部分は、上述した透明接着層２３によってカバー層２２に貼り合わされている。
【００７５】
［表示装置の断面構造］
図６が示すように、タッチパネル２０を構成する構成要素のなかで表示パネル１０に近い構成要素から順番に、透明基板３１、ドライブ電極３１ＤＰ、透明接着層３２、透明誘電体基板３３、センシング電極３３ＳＰ、透明接着層２３、カバー層２２が位置している。このうち、透明誘電体基板３３は、複数のドライブ電極３１ＤＰと、複数のセンシング電極３３ＳＰとに挟まれている。タッチセンサ用電極２１、上述した選択回路、および、上述した検出回路が、タッチセンサの一例を構成している。
【００７６】
なお、透明接着層３２は、ドライブ電極３１ＤＰを構成する各ドライブ電極線の周りを覆い、かつ、相互に隣り合うドライブ電極線の間を埋めて、ドライブ電極３１ＤＰと透明誘電体基板３３との間に位置している。また、透明接着層２３は、センシング電極３３ＳＰを構成する各センシング電極線の周りを覆い、かつ、相互に隣り合うセンシング電極線の間を埋めて、センシング電極３３ＳＰとカバー層２２との間に位置している。これらの構成要素において、透明接着層２３、および、透明基板３１の少なくとも一方は、割愛されてもよい。
【００７７】
また、表示パネル１０を構成する構成要素のなかでタッチパネル２０から遠い構成要素から順番に、表示パネル１０を構成する複数の構成要素は以下のように並んでいる。すなわち、タッチパネル２０から遠い構成要素から順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。これらのうち、ＴＦＴ層１３には、サブ画素を構成する画素電極がマトリクス状に位置している。そして、カラーフィルタ層１５におけるブラックマトリクス１５ａは、サブ画素の各々と向かい合う矩形形状を有する複数の領域を区画し、ブラックマトリクス１５ａの区画する各領域には、白色光を赤色、緑色、および、青色のいずれかの色の光に変える上述した着色層が位置している。
【００７８】
なお、透明接着層２３の省略される構成においては、カバー層２２の面の中で透明誘電体基板３３と対向する面がセンシング電極面３３Ｓとして設定され、センシング電極面３３Ｓに形成される１つの薄膜のパターニングによって、複数のセンシング電極３３ＳＰが形成されてもよい。
【００７９】
また、タッチパネル２０の製造に際しては、タッチセンサ用電極２１とカバー層２２とが、上述した透明接着層２３によって貼り合わされる方法が採用されてもよいし、こうした製造方法とは異なる他の例として、以下の製造方法が採用されてもよい。すなわち、樹脂フィルムなどのカバー層２２に、銅などの導電性金属から構成される薄膜層が直に、もしくは、下地層を介して形成され、薄膜層の上にセンシング電極３３ＳＰのパターン形状を有したレジスト層が形成される。次いで、塩化第二鉄などを用いたウェットエッチング法によって、薄膜層が複数のセンシング電極３３ＳＰに加工されて、第１のフィルムが得られる。また、センシング電極３３ＳＰと同様に、他の樹脂フィルムに形成された薄膜層が複数のドライブ電極３１ＤＰに加工されて、第２のフィルムが得られる。そして、第１のフィルムと第２のフィルムとが透明誘電体基板３３を挟むように、透明誘電体基板３３に対して透明接着層によって貼り付けられる。
【００８０】
［タッチパネルの電気的構成］
図７を参照して、タッチパネル２０の電気的構成を説明する。なお、以下では、静電容量式のタッチパネル２０の一例として、相互容量方式のタッチパネル２０における電気的構成を説明する。
【００８１】
図７が示すように、タッチパネル２０は、選択回路３４、検出回路３５、および、制御部３６を備えている。選択回路３４は、複数のドライブ電極３１ＤＰに接続され、検出回路３５は、複数のセンシング電極３３ＳＰに接続され、制御部３６は、選択回路３４と検出回路３５とに接続されている。
【００８２】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰからｎ番目のドライブ電極３１ＤＰに向けて選択回路３４に順次走査させるための走査タイミング信号を生成して出力する。
【００８３】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰからｎ番目のセンシング電極３３ＳＰに向けて検出回路３５に順次走査させるための走査タイミング信号を生成して出力する。
【００８４】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００８５】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００８６】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。選択回路３４、および、検出回路３５は、周辺回路の一例である。
【００８７】
制御部３６は、信号処理部３５ｂの出力した電圧信号に基づいて、タッチパネル２０において使用者の指などが触れている位置を検出する。なお、タッチパネル２０は、上述した相互容量方式のタッチパネル２０に限らず、自己容量方式のタッチパネルであってもよい。
【００８８】
［格子パターンの構成］
図８を参照して格子パターンの構成を説明する。なお、図８では、格子パターンの備える幅広部の形状、および、格子パターンに対する幅広部の位置を説明する便宜上から、格子パターンを構成する電極線、および、幅広部が誇張されている。また、以下では、格子パターンを構成する電極線の延びる方向が、幅広部の並ぶ方向と平行である例を説明する。
【００８９】
図８が示すように、センシング電極面３３Ｓと対向する平面視において、格子パターン２１Ｇは、１つの方向である第１方向Ｄ１に沿って延びる複数の第１電極線２１Ｇ１と、第１方向Ｄ１と直交する第２方向Ｄ２に沿って延びる複数の第２電極線２１Ｇ２とを備えている。
【００９０】
複数の第１電極線２１Ｇ１は、第２方向Ｄ２に沿って等しい間隔を空けて並び、かつ、複数の第２電極線２１Ｇ２は、第１方向Ｄ１に沿って等しい間隔を空けて並んでいる。センシング電極面３３Ｓと対向する平面視において、複数の第１電極線２１Ｇ１と、複数の第２電極線２１Ｇ２とは、四角形形状、例えば、正方形形状を有する単位格子２１Ｃが第１方向Ｄ１および第２方向Ｄ２の各々に沿って連続する格子形状を形成している。
【００９１】
なお、第１方向Ｄ１と第１電極方向ＤＥ１とが形成する角度θは、例えば、１°以上１７９°以下であり、角度θは、４５°以上１３５°以下であることが好ましい。また、第２方向Ｄ２と第２電極方向ＤＥ２とが形成する角度も角度θと等しい。そして、第１電極線２１Ｇ１の各々は、上述したドライブ主線、ドライブ副線、センシング主線、および、センシング副線の少なくとも１つから構成され、かつ、第２電極線２１Ｇ２の各々は、同じく、ドライブ電極線、ドライブ副線、センシング主線、および、センシング副線の少なくとも１つから構成されている。
【００９２】
格子パターン２１Ｇの備える複数の単位格子２１Ｃのうち、３つ以上の単位格子２１Ｃの各々は、１つの幅広部２１Ｗを備えている。１つの単位格子２１Ｃにおいて、所定の線幅を有した直線形状を有する部分が主線部２１Ｍであり、単位格子２１Ｃを形成する電極線のなかで、主線部２１Ｍよりも線幅の大きい部分が幅広部２１Ｗである。幅広部２１Ｗは、円形状を有し、幅広部２１Ｗの中心は、各第１電極線２１Ｇ１および各第２電極線２１Ｇ２において、線幅の中央に位置している。幅広部２１Ｗは、異形部の一例である。つまり、格子パターン２１Ｇは、センシング電極面３３Ｓと対向する平面視において、複数の幅広部２１Ｗを備えている。主線部２１Ｍの線幅は、例えば、０．１μｍ以上１２μｍ以下である。また、格子パターン２１Ｇを備えるタッチセンサ用電極２１を備えるタッチパネル２０の全光線透過率は、８０％以上であることが好ましい。
【００９３】
格子パターン２１Ｇの備える複数の幅広部２１Ｗのうち、第２方向Ｄ２に沿って並ぶ複数の幅広部２１Ｗが、１つの幅広部群２１ＷＧを構成し、格子パターン２１Ｇにおいて、複数の幅広部群２１ＷＧが、第１方向Ｄ１に沿って１つの単位格子２１Ｃごとに連続している。幅広部群２１ＷＧは、異形部群の一例である。
【００９４】
幅広部群２１ＷＧには、第１幅広部群２１ＷＧ１と、第２幅広部群２１ＷＧ２とが含まれている。このうち、第１幅広部群２１ＷＧ１では、複数の幅広部２１Ｗが、第２方向Ｄ２に沿って２つの単位格子２１Ｃの周期である第１周期Ｐ１で並んでいる。一方で、第２幅広部群２１ＷＧ２では、複数の幅広部２１Ｗが、第２方向Ｄ２に沿って３つの単位格子２１Ｃの周期である第２周期Ｐ２で並んでいる。このように、複数の幅広部２１Ｗは、第２方向Ｄ２に沿って第１周期Ｐ１で、あるいは、第２周期Ｐ２で並ぶことで、第２方向Ｄ２に沿って規則的に並んでいる。第１幅広部群２１ＷＧ１は、第１異形部群の一例であり、第２幅広部群２１ＷＧ２は、第２異形部群の一例である。
【００９５】
これに対して、複数の幅広部群２１ＷＧにおいて、第１幅広部群２１ＷＧ１と第２幅広部群２１ＷＧ２とが、第１方向Ｄ１に沿って不規則に並んでいる。しかも、各第１幅広部群２１ＷＧ１に対して、第２方向Ｄ２に沿って単位格子２１Ｃの半分の距離ずつずらされた４種類の第１幅広部群２１ＷＧ１のうちの１つが選択されている。また、第２幅広部群２１ＷＧ２に対して、第２方向Ｄ２に沿って単位格子２１Ｃの半分の距離ずつずらされた６種類の第２幅広部群２１ＷＧ２のうちの１つが選択されている。これにより、複数の幅広部２１Ｗが、第１方向Ｄ１に沿って不規則に並んでいる。
【００９６】
格子パターン２１Ｇにおいて、複数の幅広部２１Ｗは、複数の単位格子２１Ｃの並ぶ方向の一方に対して不規則に並んでいるため、複数の単位格子２１Ｃの配列における周期性が、幅広部２１Ｗによって乱される。それゆえに、格子パターン２１Ｇの周期性と表示パネル１０における画素１５Ｐの周期性との相関によるモアレが抑えられる。
【００９７】
また、タッチパネル２０では、例えば、第１方向Ｄ１と第２方向Ｄ２のうち、第１方向Ｄ１に沿ってモアレが生じる一方で、第２方向Ｄ２に沿ってモアレが生じない場合もある。この場合には、上述した格子パターン２１Ｇによれば、第１方向Ｄ１と第２方向Ｄ２とのうち、第１方向Ｄ１に沿って並ぶ単位格子２１Ｃの周期に起因したモアレが抑えられる。一方で、第２方向Ｄ２においては、幅広部２１Ｗが所定の周期で並ぶため、幅広部２１Ｗの設計に要する負荷を抑えることができる。
【００９８】
さらに、格子パターン２１Ｇの備える複数の幅広部群２１ＷＧには、第２方向Ｄ２における周期が相互に異なる第１幅広部群２１ＷＧ１と第２幅広部群２１ＷＧ２とが含まれる。そのため、第１幅広部群２１ＷＧ１のみが含まれる構成よりも、第１方向Ｄ１における幅広部２１Ｗの不規則性を高めることができる。それゆえに、格子パターン２１Ｇの周期性と画素１５Ｐの周期性との相関によるモアレがより抑えられる。
【００９９】
格子パターン２１Ｇが上述した金属膜から形成されるとき、格子パターン２１Ｇの備える主線部２１Ｍと幅広部２１Ｗとは、金属膜がウェットエッチングやドライエッチングによってパターニングされることによって形成される。金属膜がウェットエッチングやドライエッチングされるとき、主線部２１Ｍと幅広部２１Ｗとに対応するマスクが用いられる。なお、幅広部２１Ｗには、マスクの有する幅広部２１Ｗに対応する開口とは異なる位置に形成された幅広部２１Ｗや、開口とは異なる形状を有した幅広部２１Ｗが含まれてもよい。
【０１００】
［格子パターンの設計方法］
図９を参照して格子パターンの設計方法を説明する。以下では、格子パターン２１Ｇにおいて、複数の幅広部２１Ｗを第２方向Ｄ２に沿って所定の周期で配列させ、かつ、第１方向Ｄ１に沿って不規則に配列させるための設計方法の一例を説明する。
格子パターン２１Ｇの設計方法は、基本パターン作成工程、乱数算出工程、および、基本パターン配置工程を含んでいる。
【０１０１】
図９が示すように、基本パターン作成工程では、基本パターン群ＢＰＧが作成され、基本パターン群ＢＰＧは、１０種類の基本パターンである第１パターンＢＰ１から第１０パターンＢＰ１０によって構成されている。表Ｔが示すように、第１パターンＢＰ１において、複数の幅広部２１Ｗが、第２方向Ｄ２に沿って２つの単位格子２１Ｃごとの周期、すなわち、第１周期Ｐ１で並び、かつ、幅広部２１Ｗの始点となる始点位置が第１位置Ｌ１である。第１位置Ｌ１は、例えば、１つの単位格子２１Ｃにおける４つの格子点のうちの１つである。
【０１０２】
第２パターンＢＰ２において、複数の幅広部２１Ｗが、第１パターンＢＰ１と同様、第２方向Ｄ２に沿って第１周期Ｐ１で並び、かつ、幅広部２１Ｗの始点位置が第２位置Ｌ２である。第２位置Ｌ２は、第２方向Ｄ２に沿って、第１位置Ｌ１から単位格子２１Ｃの半分の距離だけずれた位置である。第３パターンＢＰ３、および、第４パターンＢＰ４の各々において、複数の幅広部２１Ｗが、これも第１パターンＢＰ１と同様、第２方向Ｄ２に沿って第１周期Ｐ１で並んでいる。そして、第３パターンＢＰ３の始点位置が、第２位置Ｌ２から第２方向Ｄ２に沿って単位格子２１Ｃの半分の距離だけずれた第３位置Ｌ３であり、第４パターンＢＰ４の始点位置が、第３位置Ｌ３から第２方向Ｄ２に沿って単位格子２１Ｃの距離の半分だけずれた第４位置Ｌ４である。
【０１０３】
これに対して、表Ｔが示すように、第５パターンＢＰ５において、複数の幅広部２１Ｗが３つの単位格子２１Ｃごとの周期、すなわち、第２周期Ｐ２で並び、かつ、幅広部２１Ｗの始点となる始点位置が第１位置Ｌ１である。
【０１０４】
第６パターンＢＰ６から第１０パターンＢＰ１０の各々において、複数の幅広部２１Ｗが、第５パターンＢＰ５と同様、第２方向Ｄ２に沿って第２周期Ｐ２で並んでいる。そして、第６パターンＢＰ６から第１０パターンＢＰ１０の各々の始点位置には、第１パターンＢＰ１から第４パターンＢＰ４までと同様、順番が１つ前である基本パターンの始点位置から、第２方向Ｄ２に沿って単位格子２１Ｃの半分の距離だけずれた位置が設定される。これにより、第６パターンＢＰ６の始点位置に第２位置Ｌ２が設定され、第７パターンＢＰ７の始点位置に第３位置Ｌ３が設定され、第８パターンＢＰ８の始点位置に第４位置Ｌ４が設定され、第９パターンＢＰ９の始点位置に第５位置Ｌ５が設定され、かつ、第１０パターンＢＰ１０の始点位置に第６位置Ｌ６が設定される。
【０１０５】
乱数算出工程では、例えば、所定の疑似乱数生成法を用いて、上述した１０種類の基本パターンの各々に付された１から１０の番号に対し、乱数が算出される。これにより、第１パターンＢＰ１から第１０パターンＢＰ１０が不規則に並べられる。
【０１０６】
基本パターン配置工程では、乱数算出工程で算出された乱数に従って、第１電極方向ＤＥ１に沿って複数の基本パターンが配置される。これにより、格子パターン２１Ｇは、第２方向Ｄ２に沿って所定の周期で並ぶ一方で、第１方向Ｄ１に沿って不規則に並ぶ複数の幅広部２１Ｗを備えるように設計される。
【０１０７】
こうした設計方法によれば、予め作成した複数の基本パターンを疑似乱数生成法によって生成した乱数に従って並べることによって、第１方向Ｄ１に沿って不規則に並んだ複数の幅広部２１Ｗを備える格子パターン２１Ｇを設計することができる。そのため、単位格子２１Ｃごとに幅広部２１Ｗを当てはめることによって、複数の幅広部２１Ｗが第１方向Ｄ１に沿って不規則に並べる設計方法と比べて、格子パターン２１Ｇの設計にかかる負荷を減らすことができる。
【０１０８】
また、上述した設計方法によれば、複数の幅広部２１Ｗが、所定の周期性を有した状態で第２方向Ｄ２に沿って配置される一方で、第１方向Ｄ１に沿って不規則に配置される。そのため、モアレを抑える上で好ましい幅広部２１Ｗの配列パターンを設計する際に、複数の幅広部２１Ｗが、第１方向Ｄ１および第２方向Ｄ２の両方に沿って同時に不規則に配置される方法と比べて、配列パターンが変わったときに、表示装置におけるモアレの状態の変わる程度が小さくなる。
【０１０９】
これに対して、複数の幅広部２１Ｗが、第１方向Ｄ１および第２方向Ｄ２の両方に沿って同時に不規則に配置される方法では、配列パターンが変わったときに、表示装置におけるモアレの状態の変わる程度が大きくなる。そのため、モアレを抑える上で好ましい配列パターンが見つかりにくい場合もある。
【０１１０】
この点で、上述した設計方法によれば、配列パターンが変わったときに、表示装置におけるモアレの状態の変わる程度が小さくなるため、少なくとも第１方向Ｄ１においては、好ましい配列パターンが見つかりやすくなる。
【０１１１】
なお、幅広部２１Ｗの個数、あるいは、幅広部２１Ｗの総面積は、複数の幅広部２１Ｗが配置された格子パターン２１Ｇの開口率がＡＲ１であり、主線部２１Ｍのみから構成される格子パターン２１Ｇの開口率がＡＲ２であるとき、以下の関係が成り立つように設定されることが好ましい。
【０１１２】
０．９５×ＡＲ１≦ＡＲ２≦０．９９９×ＡＲ１
こうした構成によれば、タッチパネル２０の全光線透過率が上述した好ましい範囲になりやすい。
【０１１３】
以上説明したように、第２実施形態によれば、以下に列挙する効果を得ることができる。
（２）格子パターン２１Ｇを構成する複数の単位格子２１Ｃが、第１方向Ｄ１および第２方向Ｄ２に沿って並んでいるため、複数の単位格子２１Ｃによって形成される周期的な構造が幅広部２１Ｗによって乱されることで、モアレが抑えられる。
【０１１４】
（３）第１方向Ｄ１と第２方向Ｄ２とのうち、第１方向Ｄ１に沿って並ぶ単位格子２１Ｃの周期に起因したモアレが抑えられる。一方で、第２方向Ｄ２においては、幅広部２１Ｗが所定の周期で並ぶため、幅広部２１Ｗの設計に要する負荷を抑えることができる。
【０１１５】
（４）複数の幅広部群２１ＷＧには、第２方向Ｄ２における周期が相互に異なる第１幅広部群２１ＷＧ１と第２幅広部群２１ＷＧ２とが含まれるため、第１幅広部群２１ＷＧ１のみが含まれる構成よりも、第１方向Ｄ１における幅広部２１Ｗの不規則性を高めることができる。それゆえに、モアレがより抑えられる。
【０１１６】
（５）ドライブ電極３１ＤＰとセンシング電極３３ＳＰとが延びる方向に対して、格子パターン２１Ｇを構成する単位格子２１Ｃが所定の傾きを有した状態で並ぶ。そのため、ドライブ電極３１ＤＰの延びる方向が、第１方向Ｄ１と平行であり、かつ、センシング電極３３ＳＰの延びる方向が、第２方向Ｄ２と平行である構成と比べて、電極の構造における周期性と、格子パターン２１Ｇの構造における周期性との相関によるモアレが形成されにくくなる。
【０１１７】
［第２実施形態の変形例］
なお、上述した第２実施形態は、以下のように適宜変更して実施することもできる。
［幅広部の位置］
・図１０が示すように、第１幅広部群２１ＷＧ１と第２幅広部群２１ＷＧ２とは、第１方向Ｄ１に沿って交互に繰り返されていてもよい。そして、第１方向Ｄ１において相互に隣り合う２つの幅広部群２１ＷＧにおいて、第１幅広部群２１ＷＧ１を構成する複数の幅広部２１Ｗと、第２幅広部群２１ＷＧ２を構成する複数の幅広部２１Ｗとは、以下の状態で格子パターン２１Ｇの内部に二次元に分散されていてもよい。
【０１１８】
すなわち、第１幅広部群２１ＷＧ１を構成する複数の幅広部２１Ｗと、第２幅広部群２１ＷＧ２を構成する複数の幅広部２１Ｗとは、格子パターン２１Ｇを構成する線分のうち、第２方向Ｄ２に沿って延びる１つの線分である第２電極線２１Ｇ２を第１方向Ｄ１において挟んでいてもよい。このとき、円形状を有する幅広部２１Ｗは、直線形状を有する主線部２１Ｍの縁から、幅方向の外側に向けて突出している。
【０１１９】
こうした構成によれば、以下に記載の効果を得ることができる。
（６）幅広部２１Ｗの並びの周期が相互に異なる２つの幅広部群２１ＷＧが、第２方向Ｄ２に沿って延びる１つの線分である第２電極線２１Ｇ２を挟む。そのため、幅広部２１Ｗの並びの周期が相互に異なる２つの幅広部群２１ＷＧの間において、格子パターン２１Ｇの周期性が視覚的に乱されやすい。
【０１２０】
・図１１が示すように、複数の単位格子２１Ｃの各々は、第１方向Ｄ１に沿って並ぶ第１線分Ｓ１と第２線分Ｓ２とを備えている。各第１線分Ｓ１は、１つの第２電極線２１Ｇ２の一部であり、各第２線分Ｓ２は、１つの第２電極線２１Ｇ２の一部である。そして、複数の幅広部２１Ｗは、第１線分Ｓ１に位置する幅広部２１Ｗと、第２線分Ｓ２に位置する幅広部２１Ｗとを含んでいてもよい。このとき、円形状を有する幅広部２１Ｗは、直線形状を有する主線部２１Ｍの縁から、幅方向の外側に向けて突出している。
【０１２１】
こうした構成によれば、以下に記載の効果を得ることができる。
（７）１つの単位格子２１Ｃに対して、第１方向Ｄ１における幅広部２１Ｗの位置が２つ存在するため、１つの単位格子２１Ｃに対して幅広部２１Ｗの位置が１つである構成と比べて、第１方向Ｄ１において、複数の幅広部２１Ｗにおける不規則性が高まる。それゆえに、モアレがより抑えられる。
【０１２２】
なお、図１１では、格子パターン２１Ｇが、第１方向Ｄ１に沿って並ぶ複数の第１幅広部群２１ＷＧ１を備える構成が記載されているが、上述した第２実施形態と同様、格子パターン２１Ｇは、第１幅広部群２１ＷＧ１と第２幅広部群２１ＷＧ２との両方を備える構成でもよい。
【０１２３】
また、こうした構成に対しても、第２実施形態における格子パターン２１Ｇの設計方法を適用することは可能である。この場合には、始点位置が第２方向Ｄ２において相互に異なる複数の基本パターンの各々に対して、幅広部２１Ｗが第１線分Ｓ１に位置する基本パターンと、幅広部２１Ｗが第２線分Ｓ２に位置する基本パターンとが作成されればよい。
【０１２４】
・第１幅広部群２１ＷＧ１では、複数の幅広部２１Ｗが、第２方向Ｄ２に沿って２つの単位格子２１Ｃの周期である第１周期Ｐ１で並び、第２幅広部群２１ＷＧ２では、複数の幅広部２１Ｗが、第２方向Ｄ２に沿って３つの単位格子２１Ｃの周期である第２周期Ｐ２で並んでいる。これに限らず、第１幅広部群２１ＷＧ１における第１周期Ｐ１と、第２幅広部群２１ＷＧ２の第２周期Ｐ２とは、第１周期Ｐ１と第２周期Ｐ２とが相互に異なる周期であり、かつ、複数の幅広部２１Ｗが格子パターン２１Ｇにおいて第１方向Ｄ１に沿って不規則に並ぶ範囲で、任意に設定することができる。
【０１２５】
・複数の幅広部群２１ＷＧは、第１幅広部群２１ＷＧ１と第２幅広部群２１ＷＧ２とから構成されている。これに限らず、複数の幅広部群２１ＷＧは、複数の幅広部２１Ｗの並ぶ周期が相互に異なる３種類以上の幅広部群２１ＷＧから構成されてもよいし、複数の幅広部群２１ＷＧにおいて、複数の幅広部２１Ｗの並ぶ周期が１種類であってもよい。
【０１２６】
・基本パターン群ＢＰＧにおいて、順番が相互に隣り合う基本パターンでは、始点位置が単位格子２１Ｃの半分の距離だけ相互に異なる。これに限らず、基本パターン群ＢＰＧにおいて、順番が相互に隣り合う基本パターンでは、始点位置が単位格子２１Ｃの半分よりも大きい距離だけ相互に異なってもよいし、単位格子２１Ｃの半分よりも小さい距離だけ相互に異なってもよい。
【０１２７】
・複数の幅広部２１Ｗは、第１方向Ｄ１に沿って不規則に並ぶ一方で、第２方向Ｄ２に沿って所定の周期で並んでいる。これに限らず、複数の幅広部２１Ｗは、第１方向Ｄ１に沿って不規則に並び、かつ、第２方向Ｄ２に沿って不規則に並んでいてもよい。あるいは、複数の幅広部２１Ｗは、第１方向Ｄ１に沿って規則的に並び、かつ、第２方向Ｄ２に沿って不規則に並んでいてもよい。
【０１２８】
・格子パターン２１Ｇを構成する複数の単位格子２１Ｃのうち、一部の単位格子２１Ｃに１つの幅広部２１Ｗが位置している。これに限らず、複数の幅広部２１Ｗが、第１方向Ｄ１および第２方向Ｄ２の少なくとも一方において不規則に並んでいれば、全ての単位格子２１Ｃに１つの幅広部２１Ｗが位置してもよい。
【０１２９】
・複数の単位格子２１Ｃのうち、幅広部２１Ｗを備える単位格子２１Ｃには、１つの幅広部２１Ｗが位置している。これに限らず、複数の幅広部２１Ｗが、第１方向Ｄ１および第２方向Ｄ２の少なくとも一方において不規則に並んでいれば、幅広部２１Ｗを備える単位格子２１Ｃには、２以上の幅広部２１Ｗが位置してもよい。このとき、１つの単位格子２１Ｃに位置する幅広部２１Ｗの個数は一定であってもよいし、一定でなくてもよい。
【０１３０】
・格子パターン２１Ｇを構成する複数の単位格子２１Ｃの並ぶ方向と、幅広部２１Ｗの並ぶ方向とが相互に平行である。これに限らず、複数の単位格子２１Ｃの並ぶ方向と、幅広部２１Ｗの並ぶ方向とは、所定の角度で交差していてもよい。
【０１３１】
・第２実施形態、および、第２実施形態の変形例で説明された格子パターン２１Ｇの設計は、上述した設計方法を用いて行われなくともよく、例えば、格子パターン２１Ｇを構成する複数の単位格子２１Ｃの各々に対して、幅広部２１Ｗを配置するか否かが個別に決められてもよい。
【０１３２】
［異形部の形状］
・幅広部２１Ｗは、円形状を有している。これに限らず、例えば、図１２が示すように、格子パターン２１Ｇが備える幅広部は、楕円形状を有した幅広部２１Ｗ１であってもよいし、矩形形状を有した幅広部２１Ｗ２であってもよい。幅広部２１Ｗ１，２１Ｗ２は、幅広部２１Ｗ１，２１Ｗ２の中心が、第１電極線２１Ｇ１における幅方向の中央に位置しているが、幅広部２１Ｗ３のように、第１電極線２１Ｇ１の縁から突出する円形状以外の形状、例えば、矩形形状を有した幅広部であってもよい。なお、幅広部が第１電極線２１Ｇ１や第２電極線２１Ｇ２の縁から突出しているとき、幅広部は、楕円形状、三角形形状、半円形状、および、半楕円形状などのいずれかの形状を有してもよい。
【０１３３】
・第２実施形態では、異形部として幅広部２１Ｗが例示されているが、図１３が示すように、異形部は、第１電極線２１Ｇ１あるいは第２電極線２１Ｇ２において、直線形状を有する主線部２１Ｍよりも線幅の小さい幅狭部２１Ｎであってもよい。なお、幅狭部２１Ｎを構成するための窪みは、図１３が示すように、平面視において、半楕円弧形状の外形を有した窪み２１Ｎａであってもよいし、半円弧形状を有した窪みであってもよい。あるいは、窪みは、平面視において矩形形状を有した領域を開ける形状を有した窪み２１Ｎｂであってもよい。
【０１３４】
なお、異形部が主線部２１Ｍよりも線幅の小さい幅狭部２１Ｎであるとき、幅狭部２１Ｎは、線幅が小さい分だけ、主線部２１Ｍよりも視認されにくいため、幅狭部２１Ｎによって形成されるモアレも視認されにくくなる。これにより、第１方向Ｄ１と第１電極方向ＤＥ１とが形成する角度θのうち、モアレの視認されない角度の範囲が大きくなる。
【０１３５】
・第２実施形態では、異形部として幅広部２１Ｗが例示されている。これに限らず、図１４が示すように、主線部２１Ｍが、第１電極線２１Ｇ１あるいは第２電極線２１Ｇ２において、直線形状を有する一方で、異形部は、平面視において半円弧形状を有する線分である屈曲部２１Ｂであってもよい。
【０１３６】
・複数の異形部は、第２実施形態、および、第２実施形態の変形例において説明された異形部のうち、第１の形状を有する第１異形部と、第１の形状とは異なる第２の形状を有する第２異形部とから構成されてもよい。あるいは、複数の異形部は、相互に異なる形状を有した３種類以上の異形部を含んでもよい。
【０１３７】
こうした構成によれば、以下の効果を得ることができる。
（８）異形部の形状が１種類である構成と比べて、複数の異形部による不規則性がより高まる。
【０１３８】
・複数の異形部は、第２実施形態、および、第２実施形態の変形例において説明されたいずれかの形状を有する一方で、大きさの相互に異なる２種類以上の異形部を含んでもよい。こうした構成によっても、上述した（８）に準じた効果を得ることはできる。
【０１３９】
・複数の異形部は、第２実施形態、および、第２実施形態の変形例において説明された異形部のうち、相互に異なる形状を有した２種類以上の異形部を含み、かつ、大きさの相互に異なる２種類以上の異形部を含んでよい。こうした構成によっても、上述した（８）に準じた効果を得ることはできる。
【０１４０】
・異形部が、第２実施形態、および、第２実施形態の変形例において説明された幅広部であるとき、幅広部は、１つの形状を有した部分、例えば、円形状や四角形形状を有した部分が、第１方向Ｄ１に沿って２回以上繰り返された構成であってもよい。
【０１４１】
あるいは、幅広部は、第１方向Ｄ１、および、第２方向Ｄ２の少なくとも一方に沿って複数の幅広部が不規則に並ぶ範囲で、１つの形状を有した部分が、第２方向Ｄ２に沿って２回以上繰り返された構成であってもよい。
【０１４２】
また、異形部が、屈曲部２１Ｂであるときにも、第１方向Ｄ１、および、第２方向Ｄ２の少なくとも一方に沿って複数の幅広部が不規則に並ぶ範囲で、屈曲部２１Ｂは、１つの形状を有した部分が、第２方向Ｄ２に沿って２回以上繰り返された構成であってもよい。
【０１４３】
・図１５が示すように、格子パターン２１Ｇは、１つの単位格子２１Ｃによって囲まれた領域の内部に、単位格子２１Ｃを構成する２本の第１電極線２１Ｇ１、および、２本の第２電極線２１Ｇ２から離れたダミー部２１Ｄを備えてもよい。ダミー部２１Ｄは、円形状を有してもよいし、他の形状、例えば、四角形形状や三角形形状を有してもよい。
【０１４４】
格子パターン２１Ｇは、１つのダミー部２１Ｄを備えてもよいし、複数のダミー部２１Ｄを備えてもよい。格子パターン２１Ｇが複数のダミー部２１Ｄを備えるとき、１つの単位格子２１Ｃによって囲まれた領域に対して１つのダミー部２１Ｄが位置してもよいし、複数のダミー部２１Ｄが位置してもよい。
【０１４５】
また、格子パターン２１Ｇが複数のダミー部２１Ｄを備える構成では、複数のダミー部２１Ｄは、第１方向Ｄ１および第２方向Ｄ２の少なくとも一方に沿って不規則に並んでいることが好ましい。これにより、複数のダミー部２１Ｄによっても格子パターン２１Ｇにおける構造の周期性が乱されるため、モアレがより抑えられる。
【０１４６】
［格子パターン］
図１６から図２１を参照して、上述した格子パターン２１Ｇとして適用することのできる構成を説明する。なお、図１６から図１８には、センシング電極面３３Ｓと対向する方向から見たときの格子パターン２１Ｇの平面構造が示されている。また、図１６から図１８では、ドライブ電極３１ＤＰを構成する複数の電極線と、センシング電極３３ＳＰを構成する複数の電極線との配置を説明する便宜上から、ドライブ電極３１ＤＰを構成する電極線が黒色の太線で示されている。
【０１４７】
図１６から図２０によって説明されるいずれの構成においても、ドライブ電極３１ＤＰの延びる方向と、センシング電極３３ＳＰの延びる方向とに対して、単位格子２１Ｃの並ぶ方向が所定の角度で交差している。一方で、単位格子２１Ｃの並ぶ方向と、異形部の並ぶ方向とが相互に平行である。
【０１４８】
これに限らず、ドライブ電極３１ＤＰの延びる方向と、センシング電極３３ＳＰの延びる方向とに対して、単位格子２１Ｃの並ぶ方向が、平行であってもよい。また、単位格子２１Ｃの並ぶ方向に対して、異形部の並ぶ方向が所定の角度で交差してもよい。
【０１４９】
・図１６が示すように、ドライブ電極３１ＤＰは、第１方向Ｄ１に沿って延びる直線形状を有する複数のドライブ主線３１ＭＬと、第２方向Ｄ２に沿って延びる直線形状を有する複数のドライブ副線３１ＳＬとを備えている。複数のドライブ主線３１ＭＬは、単位格子２１Ｃの一辺の長さである単位長さごとに第２方向Ｄ２に沿って並んでいる。
【０１５０】
複数のドライブ副線３１ＳＬのうち、第２方向Ｄ２において相互に隣り合う２本のドライブ副線３１ＳＬが１つのドライブ副線対を構成し、ドライブ副線対は、第１方向Ｄ１において単位長さの整数倍ごとに繰り返されている。１つのドライブ副線対を構成する２本のドライブ副線３１ＳＬの各々は、３本のドライブ主線３１ＭＬに接続し、２本のドライブ副線３１ＳＬは、ドライブ電極３１ＤＰにおける第２方向Ｄ２の中央において、共通する１本のドライブ主線３１ＭＬに接続している。
【０１５１】
センシング電極３３ＳＰは、第２方向Ｄ２に沿って延びる直線形状を有する複数のセンシング主線３３ＭＬと、第１方向Ｄ１に沿って延びる直線形状を有する複数のセンシング副線３３ＳＬとを備えている。複数のセンシング主線３３ＭＬは、上述の単位長さごとに第１方向Ｄ１に沿って並んでいる。
【０１５２】
複数のセンシング副線３３ＳＬのうち、第１方向Ｄ１において相互に隣り合う２本のセンシング副線３３ＳＬが１つのセンシング副線対を構成し、センシング副線対は、第２方向Ｄ２において単位長さの整数倍ごとに繰り返されている。１つのセンシング副線対を構成する２本のセンシング副線３３ＳＬの各々は、３本のセンシング主線３３ＭＬに接続し、２本のセンシング副線３３ＳＬは、センシング電極３３ＳＰにおける第１方向Ｄ１の中央において、共通する１本のセンシング主線３３ＭＬに接続している。
【０１５３】
センシング電極面３３Ｓと対向する平面視において、ドライブ主線３１ＭＬの各々は、複数のセンシング主線３３ＭＬと立体的に交差する一方で、ドライブ副線３１ＳＬの各々は、第２方向Ｄ２において、センシング主線３３ＭＬが途切れた部分に位置している。また、センシング電極面３３Ｓと対向する平面視において、センシング主線３３ＭＬの各々は、複数のドライブ主線３１ＭＬと立体的に交差する一方で、センシング副線３３ＳＬの各々は、第１方向Ｄ１において、ドライブ主線３１ＭＬが途切れた部分に位置している。これにより、センシング電極面３３Ｓと対向する平面視において、複数の単位格子２１Ｃが、第１方向Ｄ１および第２方向Ｄ２に沿って並ぶ。
【０１５４】
・図１７が示すように、複数のドライブ電極３１ＤＰは、複数のドライブ主線３１ＭＬと、複数のドライブ副線３１ＳＬとを備えている。複数のドライブ主線３１ＭＬの各々は、第１方向Ｄ１に沿って延びる直線形状を有し、かつ、相互に隣り合うドライブ電極３１ＤＰの間において途切れる線分である。複数のドライブ主線３１ＭＬにおいて、相互に隣り合うドライブ電極３１ＤＰの間において途切れる部分は、図１７において破線の円によって囲まれ、第１電極方向ＤＥ１に沿って並んでいる。
【０１５５】
複数のドライブ主線３１ＭＬは、複数のドライブ主線３１ＭＬの一部から構成されるドライブ主線群３１Ｇを含んでいる。第１電極方向ＤＥ１において相互に隣り合う２つのドライブ主線群３１Ｇの間の間隔は、同じドライブ主線群３１Ｇに含まれるドライブ主線３１ＭＬ間の間隔よりも大きい。
【０１５６】
複数のドライブ副線３１ＳＬは、第２方向Ｄ２に沿って延びる直線形状を有し、かつ、相互に隣り合うドライブ電極３１ＤＰの間において途切れる線分である。複数のドライブ副線３１ＳＬにおいて、相互に隣り合うドライブ電極３１ＤＰの間において途切れる部分は、図１７において破線の円によって囲まれ、第１電極方向ＤＥ１に沿って並んでいる。複数のドライブ副線３１ＳＬの各々は、ドライブ主線群３１Ｇを構成する複数のドライブ主線３１ＭＬを並列に接続している。
【０１５７】
複数のセンシング主線３３ＭＬの各々は、第２方向Ｄ２に沿って延びる直線形状を有し、かつ、相互に隣り合うセンシング電極３３ＳＰの間において途切れる線分である。複数のセンシング主線３３ＭＬにおいて、相互に隣り合うセンシング電極３３ＳＰの間において途切れる部分は、図１７において破線の円によって囲まれ、第２電極方向ＤＥ２に沿って並んでいる。
【０１５８】
複数のセンシング主線３３ＭＬは、複数のセンシング主線３３ＭＬの一部から構成されるセンシング主線群３３Ｇを含んでいる。第２電極方向ＤE２において相互に隣り合う２つのセンシング主線群３３Ｇの間の間隔は、同じセンシング主線群３３Ｇに含まれるセンシング主線３３ＭＬ間の間隔よりも大きい。
【０１５９】
複数のセンシング副線３３ＳＬは、第１方向Ｄ１に沿って延びる直線形状を有し、かつ、相互に隣り合うセンシング電極３３ＳＰの間において途切れる線分である。複数のセンシング副線３３ＳＬでは、相互に隣り合うセンシング電極３３ＳＰの間において途切れる部分が、図１７において破線の円によって囲まれ、第２電極方向ＤＥ２に沿って並んでいる。複数のセンシング副線３３ＳＬの各々は、センシング主線群３３Ｇを構成する複数のセンシング主線３３ＭＬを並列に接続している。
【０１６０】
センシング電極面３３Ｓと対向する平面視において、ドライブ主線３１ＭＬは、センシング主線３３ＭＬと相互に交差する位置であって、かつ、第１方向Ｄ１に沿ってセンシング副線３３ＳＬとは相互に重ならない位置に配置されている。ドライブ副線３１ＳＬは、センシング副線３３ＳＬと相互に交差する位置であって、かつ、第２方向Ｄ２に沿ってセンシング主線３３ＭＬとは相互に重ならない位置に配置されている。また、センシング主線３３ＭＬは、ドライブ主線３１ＭＬと相互に交差する位置であって、かつ、第２方向Ｄ２に沿ってドライブ副線３１ＳＬとは相互に重ならない位置に配置されている。センシング副線３３ＳＬは、ドライブ副線３１ＳＬと相互に交差する位置であって、かつ、第１方向Ｄ１に沿ってドライブ主線３１ＭＬとは相互に重ならない位置に配置されている。
【０１６１】
第２方向Ｄ２において相互に隣り合う２つのドライブ主線群３１Ｇの間隙には、１つのセンシング副線３３ＳＬが配置されている。一方で、第１方向Ｄ１において相互に隣り合う２つのセンシング主線群３３Ｇの間隙には、１つのドライブ副線３１ＳＬが配置されている。
これにより、センシング電極面３３Ｓと対向する平面視において、複数の単位格子２１Ｃが、第１方向Ｄ１および第２方向Ｄ２に沿って並ぶ。
【０１６２】
・図１８が示すように、格子パターン２１Ｇは、ドライブ電極面３１Ｓに位置する複数のドライブ電極線３１Ｌと、センシング電極面３３Ｓに位置する複数のセンシング電極線３３Ｌとから構成されている。
【０１６３】
複数のドライブ電極線３１Ｌの各々は、第１電極方向ＤＥ１に沿って延び、複数のドライブ電極線３１Ｌは、第２電極方向ＤＥ２に沿って並んでいる。ドライブ電極面３１Ｓに位置する１つのドライブ電極３１ＤＰは、複数のドライブ電極線３１Ｌから構成されている。
【０１６４】
１本のドライブ電極線３１Ｌは、複数の繰り返し単位３１ＲＵを備え、複数の繰り返し単位３１ＲＵは、第１電極方向ＤＥ１に沿って連続している。繰り返し単位３１ＲＵは、第１方向Ｄ１に沿って延びるドライブ主線３１ＭＬ、第２方向Ｄ２に沿って延びるドライブ副線３１ＳＬ、および、同じく第２方向Ｄ２に沿って延びる２本のドライブ補助線３１ＡＬを備えている。ドライブ主線３１ＭＬは、第１方向Ｄ１に沿って、上述した単位長さの２倍の長さを有し、ドライブ副線３１ＳＬ、および、各ドライブ補助線３１ＡＬは、第２方向Ｄ２に沿って単位長さを有している。
【０１６５】
１つの繰り返し単位３１ＲＵにおいて、ドライブ主線３１ＭＬの一方の端部にドライブ副線３１ＳＬが接続している。ドライブ副線３１ＳＬの２つの端部のうち、同じ繰り返し単位３１ＲＵに含まれるドライブ主線３１ＭＬが接続していない端部に、第１電極方向ＤＥ１において相互に隣り合う他の繰り返し単位３１ＲＵのドライブ主線３１ＭＬが接続している。一方で、ドライブ副線３１ＳＬの２つの端部の各々には、１本のドライブ補助線３１ＡＬが接続している。
【０１６６】
これに対して、複数のセンシング電極線３３Ｌの各々は、第２電極方向ＤＥ２に沿って延び、複数のセンシング電極線３３Ｌは、第１電極方向ＤＥ１に沿って並んでいる。センシング電極面３３Ｓに位置する１つのセンシング電極３３ＳＰは、複数のセンシング電極線３３Ｌから構成されている。
【０１６７】
１本のセンシング電極線３３Ｌは、複数の繰り返し単位３３ＲＵを備え、複数の繰り返し単位３３ＲＵは、第２電極方向ＤＥ２に沿って連続している。繰り返し単位３３ＲＵは、第２方向Ｄ２に沿って延びるセンシング主線３３ＭＬ、第１方向Ｄ１に沿って延びるセンシング副線３３ＳＬ、および、同じく第１方向Ｄ１に沿って延びる２本のセンシング補助線３３ＡＬを備えている。センシング主線３３ＭＬは、第２方向Ｄ２に沿って単位長さの２倍の長さを有し、センシング副線３３ＳＬ、および、各センシング補助線３３ＡＬは、第１方向Ｄ１に沿って単位長さを有している。
【０１６８】
１つの繰り返し単位３３ＲＵにおいて、センシング主線３３ＭＬの一方の端部にセンシング副線３３ＳＬが接続している。センシング副線３３ＳＬの２つの端部のうち、同じ繰り返し単位３３ＲＵに含まれるセンシング主線３３ＭＬが接続していない端部に、第２電極方向ＤＥ２において相互に隣り合う他の繰り返し単位３３ＲＵのセンシング主線３３ＭＬが接続している。一方で、センシング副線３３ＳＬの２つの端部の各々には、１本のセンシング補助線３３ＡＬが接続している。
【０１６９】
センシング電極面３３Ｓと対向する平面視において、各繰り返し単位３１ＲＵのドライブ主線３１ＭＬが、１つの繰り返し単位３３ＲＵのセンシング主線３３ＭＬと立体的に交差する。一方で、１本のドライブ副線３１ＳＬと、このドライブ副線３１ＳＬに接続する２本のドライブ補助線３１ＡＬは、第２方向Ｄ２において、２本のセンシング主線３３ＭＬの間に位置している。また、１本のセンシング副線３３ＳＬと、このセンシング副線３３ＳＬに接続する２本のセンシング補助線３３ＡＬは、第１方向Ｄ１において、２本のドライブ主線３１ＭＬの間に位置している。
これにより、センシング電極面３３Ｓと対向する平面視において、複数の単位格子２１Ｃが、第１方向Ｄ１および第２方向Ｄ２に沿って並ぶ。
【０１７０】
・ドライブ電極面３１Ｓに複数の繰り返し単位３１ＲＵが並び、かつ、センシング電極面３３Ｓに複数の繰り返し単位３３ＲＵが並ぶ構成は、以下のように変更することができる。
【０１７１】
すなわち、図１９が示すように、第１電極方向ＤＥ１に沿って延びるドライブ電極３１ＤＰは、複数のドライブ幅広部３１ＤＰａと、複数のドライブ幅狭部３１ＤＰｂとを備えている。複数のドライブ幅広部３１ＤＰａは、第１電極方向ＤＥ１に沿って一定の間隔を空けて並び、複数のドライブ幅狭部３１ＤＰｂは、第１電極方向ＤＥ１において相互に隣り合う２つのドライブ幅広部３１ＤＰａの間に１つずつ位置して、２つのドライブ幅広部３１ＤＰａを接続している。
【０１７２】
第２電極方向ＤＥ２において相互に隣り合う２つのドライブ電極３１ＤＰの間には、第１電極方向ＤＥ１に沿って複数のドライブダミー部３１ＤＤが並んでいる。各ドライブダミー部３１ＤＤは、相互に隣り合うドライブ電極３１ＤＰから離れている。
【０１７３】
これに対して、第２電極方向ＤＥ２に沿って延びるセンシング電極３３ＳＰは、複数のセンシング幅広部３３ＳＰａと、複数のセンシング幅狭部３３ＳＰｂとを備えている。複数のセンシング幅広部３３ＳＰａは、第２電極方向ＤＥ２に沿って一定の間隔を空けて並び、複数のセンシング幅狭部３３ＳＰｂは、第２電極方向ＤＥ２において相互に隣り合う２つのセンシング幅広部３３ＳＰａの間に１つずつ位置して、２つのセンシング幅広部３３ＳＰａを接続している。
【０１７４】
第１電極方向ＤＥ１において相互に隣り合う２つのセンシング電極３３ＳＰの間には、第２電極方向ＤＥ２に沿って複数のセンシングダミー部３３ＳＤが並んでいる。各センシングダミー部３３ＳＤは、相互に隣り合うセンシング電極３３ＳＰから離れている。
【０１７５】
センシング電極面３３Ｓと対向する平面視において、１つのドライブ幅広部３１ＤＰａが、１つのセンシングダミー部３３ＳＤに立体的に重なり、１つのセンシング幅広部３３ＳＰａが、１つのドライブダミー部３１ＤＤに立体的に重なっている。さらに、センシング電極面３３Ｓと対向する平面視において、１つのドライブ幅狭部３１ＤＰｂが、１つのセンシング幅狭部３３ＳＰｂに立体的に重なっている。
【０１７６】
すなわち、相互に隣り合うドライブ幅広部３１ＤＰａとセンシング幅広部３３ＳＰａとが立体的に重ならないため、ドライブ電極３１ＤＰとセンシング電極３３ＳＰとの間の静電容量が変わりやすい。
【０１７７】
なお、図１９では、ドライブ電極面３１Ｓに位置する複数の繰り返し単位３１ＲＵが、相対的に線幅の小さい線で示され、センシング電極面３３Ｓに位置する複数の繰り返し単位３３ＲＵが、相対的に線幅の大きい線で示されている。また、図１９では、繰り返し単位３１ＲＵの連なり、および、繰り返し単位３３ＲＵの連なりのうち、電極線として機能する部分にドットが付されている一方で、ダミーパターンとして機能する部分が白抜きで示されている。
【０１７８】
・ドライブ電極面３１Ｓに複数の繰り返し単位３１ＲＵが並び、かつ、センシング電極面３３Ｓに複数の繰り返し単位３３ＲＵが並ぶ構成は、以下のように変更することができる。なお、以下に説明する変形例は、図１９を用いて説明された変形例と比べて、ドライブ幅広部３１ＤＰａ、および、センシング幅広部３３ＳＰａの構成が異なっている。そのため、以下では、こうした相違点を主に説明する。
【０１７９】
すなわち、図２０が示すように、第１電極方向ＤＥ１に沿って延びるドライブ電極３１ＤＰは、複数のドライブ幅広部３１ＤＰａと、複数のドライブ幅狭部３１ＤＰｂとを備えている。このうち、複数のドライブ幅広部３１ＤＰａの各々は、複数の繰り返し単位３１ＲＵを含んで構成される格子パターンによって構成されている。
【０１８０】
これに対して、第２電極方向ＤＥ２に沿って延びるセンシング電極３３ＳＰは、複数のセンシング幅広部３３ＳＰａと、複数のセンシング幅狭部３３ＳＰｂとを備えている。このうち、複数のセンシング幅広部３３ＳＰａの各々は、複数の繰り返し単位３３ＲＵを含んで構成される格子パターンによって構成されている。
【０１８１】
センシング電極面３３Ｓと対向する平面視において、１つのドライブ幅狭部３１ＤＰｂが１つのセンシング幅狭部３３ＳＰｂと立体的に重なっている。一方で、センシング電極面３３Ｓと対向する平面視において、センシング電極面３３Ｓにおける各ドライブ幅広部３１ＤＰａと立体的に重なる部位には、繰り返し単位３３ＲＵが位置していない。また、センシング電極面３３Ｓと対向する平面視において、ドライブ電極面３１Ｓにおける各センシング幅広部３３ＳＰａと立体的に重なる部位には、繰り返し単位３１ＲＵが位置していない。
【０１８２】
こうした構成においても、図１９を用いて説明された変形例と同様、相互に隣り合うドライブ幅広部３１ＤＰａとセンシング幅広部３３ＳＰａとが立体的に重ならないため、ドライブ電極３１ＤＰとセンシング電極３３ＳＰとの間の静電容量が変わりやすい。
【０１８３】
・図２１が示すように、ドライブ電極面３１Ｓに位置する複数のドライブ電極線３１Ｌの各々は、第１方向Ｄ１に沿って延び、かつ、複数の屈曲点を有する折線形状を有してもよい。そして、センシング電極面３３Ｓに位置する複数のセンシング電極線３３Ｌの各々は、第２方向Ｄ２に沿って延び、かつ、複数の屈曲点を有する折線形状を有してもよい。こうした構成では、格子パターン２１Ｇを構成する複数の単位格子２１Ｃが、四角形形状を有する単位格子２１Ｃだけでなく、五角形状を有する単位格子２１Ｃや六角形状を有する単位格子２１Ｃを含む。
【０１８４】
こうした構成によれば、以下の効果を得ることができる。
（９）格子パターン２１Ｇが、複数の屈曲点を有した折線形状を有する電極線で形成されているため、直線形状を有する電極線で形成された格子パターンと比べて、格子パターン２１Ｇにおける周期性が乱れやすい。それゆえに、格子パターン２１Ｇの構造における周期性に基づくモアレが形成されにくくなる。
【０１８５】
・ドライブ電極面３１Ｓに位置する複数のドライブ電極線３１Ｌの各々は、第１方向Ｄ１に沿って延び、かつ、複数の屈曲点を有する曲線形状を有してもよい。そして、センシング電極面３３Ｓに位置する複数のセンシング電極線３３Ｌの各々は、第２方向Ｄ２に沿って延び、かつ、複数の屈曲点を有する曲線形状を有してもよい。こうした構成によっても、上述した（９）に準じた効果を得ることはできる。
【０１８６】
・格子パターン２１Ｇは、ドライブ電極面３１Ｓに位置する複数の電極線によって構成される格子パターンと、センシング電極面３３Ｓに位置する複数の電極線によって構成される格子パターンとによって形成されてもよい。あるいは、格子パターン２１Ｇは、ドライブ電極面３１Ｓに位置する格子パターンと、センシング電極面３３Ｓに位置して、所定の方向に沿って延びる複数の電極線とによって形成されてもよい。あるいは、格子パターン２１Ｇは、センシング電極面３３Ｓに位置する格子パターンと、ドライブ電極面３１Ｓに位置して、所定の方向に沿って延びる複数の電極線とによって形成されてもよい。
【０１８７】
・複数のドライブ電極３１ＤＰと、複数のセンシング電極３３ＳＰとは、センシング電極面３３Ｓと対向する平面視において、１種類の単位格子２１Ｃから構成される格子パターン２１Ｇを形成していなくてもよい。例えば、ドライブ電極面３１Ｓに位置する格子パターンと、センシング電極面３３Ｓに位置する格子パターンとが、センシング電極面３３Ｓと対向する平面視にて、相互に異なる形状を有した複数の格子が並ぶパターンを形成するように重ねられた構成であってもよい。
【０１８８】
こうした構成であっても、複数の異形部が、センシング電極面３３Ｓを構成する１つの方向である第１方向Ｄ１と、第１方向Ｄ１と直交する第２方向Ｄ２の少なくとも一方に沿って不規則に並んでいれば、上述した（１）に準じた効果を得ることはできる。
【０１８９】
［タッチパネル］
・図２２が示すように、タッチパネル２０を構成するタッチセンサ用電極２１において、透明基板３１および透明接着層３２が割愛されてもよい。こうした構成では、透明誘電体基板３３の面の中で、表示パネル１０と対向する１つの面がドライブ電極面３１Ｓとして設定され、ドライブ電極面３１Ｓには、ドライブ電極３１ＤＰが位置すればよい。そして、透明誘電体基板３３における、ドライブ電極面３１Ｓと対向する面に、センシング電極３３ＳＰが位置すればよい。
なお、こうした構成において、ドライブ電極３１ＤＰは、例えば、ドライブ電極面３１Ｓに形成される１つの薄膜のパターニングによって形成される。
【０１９０】
・図２３が示すように、タッチパネル２０において、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０１９１】
なお、こうした構成において、例えば、ドライブ電極３１ＤＰは、透明基板３１の１つの面であるドライブ電極面３１Ｓに形成され、センシング電極３３ＳＰは、透明誘電体基板３３の１つの面であるセンシング電極面３３Ｓに形成される。そして、透明基板３１においてドライブ電極面３１Ｓと対向する面と、透明誘電体基板３３においてセンシング電極面３３Ｓと対応する面とが、透明接着層３２によって接着される。
【０１９２】
・表示パネル１０とタッチパネル２０とは、個別に形成されていなくともよく、タッチパネル２０は、表示パネル１０と一体に形成されてもよい。こうした構成では、例えば、タッチセンサ用電極２１のうち、複数のドライブ電極３１ＤＰがＴＦＴ層１３に位置する一方で、複数のセンシング電極３３ＳＰがカラーフィルタ基板１６と上側偏光板１７との間に位置するインセル型の構成とすることができる。あるいは、タッチセンサ用電極２１がカラーフィルタ基板１６と上側偏光板１７との間に位置するオンセル型の構成でもよい。
【符号の説明】
【０１９３】
１０…表示パネル、１０Ｓ…表示面、１１…下側偏光板、１２…薄膜トランジスタ基板、１３…ＴＦＴ層、１４…液晶層、１５…カラーフィルタ層、１５ａ…ブラックマトリクス、１５Ｂ…青色着色層、１５Ｇ…緑色着色層、１５Ｐ…画素、１５Ｒ…赤色着色層、１６…カラーフィルタ基板、１７…上側偏光板、２０…タッチパネル、２０Ｓ…操作面、２１…タッチセンサ用電極、２１Ａ…異形部、２１Ｂ…屈曲部、２１Ｃ…単位格子、２１Ｄ…ダミー部、２１Ｇ…格子パターン、２１Ｇ１…第１電極線、２１Ｇ２…第２電極線、２１Ｍ…主線部、２１Ｎ…幅狭部、２１Ｎａ，２１Ｎｂ…窪み、２１Ｗ，２１Ｗ１，２１Ｗ２，２１Ｗ３…幅広部、２１ＷＧ…幅広部群、２１ＷＧ１…第１幅広部群、２１ＷＧ２…第２幅広部群、２２…カバー層、２３…透明接着層、３０…透明誘電体基板、３１…透明基板、３１ＡＬ…ドライブ補助線、３１ＤＤ…ドライブダミー部、３１ＤＰ…ドライブ電極、３１ＤＰａ…ドライブ幅広部、３１ＤＰｂ…ドライブ幅狭部、３１Ｇ…ドライブ主線群、３１Ｌ…ドライブ電極線、３１ＭＬ…ドライブ主線、３１ＭＰ…ドライブ主線部、３１Ｐ…ドライブパッド、３１ＲＵ…繰り返し単位、３１Ｓ…ドライブ電極面、３１ＳＬ…ドライブ副線、３２…透明接着層、３３…透明誘電体基板、３３ＡＬ…センシング補助線、３３Ｇ…センシング主線群、３３Ｌ…センシング電極線、３３ＭＬ…センシング主線、３３ＭＰ…センシング主線部、３３Ｐ…センシングパッド、３３ＲＵ…繰り返し単位、３３Ｓ…センシング電極面、３３ＳＤ…センシングダミー部、３３ＳＬ…センシング副線、３３ＳＰ…センシング電極、３３ＳＰａ…センシング幅広部、３３ＳＰｂ…センシング幅狭部、３４…選択回路、３５…検出回路、３５ａ…信号取得部、３５ｂ…信号処理部、３６…制御部、ＢＰＧ…基本パターン群、Ｓ１…第１線分、Ｓ２…第２線分。
【図１】
0006466677.tif 000002
【図２】
0006466677.tif 000003
【図３】
0006466677.tif 000004
【図４】
0006466677.tif 000005
【図５】
0006466677.tif 000006
【図６】
0006466677.tif 000007
【図７】
0006466677.tif 000008
【図８】
0006466677.tif 000009
【図９】
0006466677.tif 000010
【図１０】
0006466677.tif 000011
【図１１】
0006466677.tif 000012
【図１２】
0006466677.tif 000013
【図１３】
0006466677.tif 000014
【図１４】
0006466677.tif 000015
【図１５】
0006466677.tif 000016
【図１６】
0006466677.tif 000017
【図１７】
0006466677.tif 000018
【図１８】
0006466677.tif 000019
【図１９】
0006466677.tif 000020
【図２０】
0006466677.tif 000021
【図２１】
0006466677.tif 000022
【図２２】
0006466677.tif 000023
【図２３】
0006466677.tif 000024